(57)【要約】【課題】  エアゾール装置において、構成部品である噴射ボタン本体を非常に容易に、かつコストも非常に安価に製作できるようにする。【解決手段】  密閉された缶状で内部に薬液を収容し、上部にステム５を備えた容器１と、この容器１の上部に装着すると共に、押しボタン部２を有し、この押しボタン部２を押すことにより容器１のステム５が押されて、容器１内部の薬液を外部に噴射するようになる噴射ボタン本体３と、から構成するエアゾール装置において、前記噴射ボタン本体３は容器１のステム５に嵌合自在となり、かつ柔軟性素材より成型することにより折り曲げ自在となる柔軟性を有した略筒状のノズル１４を備えると共に、噴射ボタン本体３にノズルガイド部１３を形成して、このノズルガイド部１３にノズル１４を保持させるようにしたエアゾール装置である。【選択図】  図３
2005298051.tif 000002
【特許請求の範囲】
【請求項１】
密閉された缶状で内部に薬液を収容し、上部にステム５を備えた容器１と、この容器１の上部に装着すると共に、押しボタン部２を有し、この押しボタン部２を押すことにより容器１のステム５が押されて、容器１内部の薬液を外部に噴射するようになる噴射ボタン本体３と、から構成するエアゾール装置において、
前記噴射ボタン本体３は容器１のステム５に嵌合自在となり、かつ柔軟性素材より成型することにより折り曲げ自在となる柔軟性を有した略筒状のノズル１４を備えると共に、噴射ボタン本体３にノズルガイド部１３を形成して、このノズルガイド部１３にノズル１４を保持させるようにしたことを特徴とするエアゾール装置。
【発明の詳細な説明】
【技術分野】
【０００１】
殺虫、忌避、消臭、芳香、防菌防黴等の目的に供する薬液を内部に収容した容器と、この容器の上部に装着して、押しボタン部を押すことにより容器内部の薬液を外部に噴射するようになる噴射ボタン本体とから構成するエアゾール装置に関する。
【背景技術】
【０００２】
従来、エアゾール装置、例えば容器内部に収容した薬液を一気に全て噴射する全量噴射型のエアゾール装置としては、図９に示すように、密閉された缶状で内部に薬液を収容した容器２１を備え、この容器２１の上部にステム２２を備えており、このステム２２は上方より押されることで、容器２１内部の薬液がここより噴出するようになっている。
【０００３】
そして、この容器２１の上部に噴射ボタン本体２３を装着し、この噴射ボタン本体２３には押しボタン部２４を有して、この押しボタン部２４を押すことにより容器２１のステム２２が押されるようになっている。なお、噴射ボタン本体２３には係止部２５を形成すると共に、この係止部２５が容器２１の上部に装着したキャップ本体２６に形成された係止部２７に引っ掛かって止まるようなっている。また、図１０に示すように、この噴射ボタン本体２３には容器２１のステム２２との嵌合部２８から左右に分岐し上端の噴射口２９に達する薬液用流路３０を形成している。
【０００４】
これにより、使用者が噴射ボタン本体２３の押しボタン部２４を押すと、容器２１のステム２２が押されて、容器２１内部に収容した薬液がステム２２より噴出し、噴射ボタン本体２３に形成した薬液用流路３０を経て噴射口２９より外部に噴射する。このとき、噴射ボタン本体２３に形成した係止部２５がキャップ本体２６に形成した係止部２７に引っ掛かって止まることで、押しボタン部２４及びステム２２は押された状態のままとなり、容器２１の内部に収容した薬液が全て噴射するようになっている。
【０００５】
【特許文献１】特開２００１−０５５２８５号公報
【発明の開示】
【発明が解決しようとする課題】
【０００６】
かかる従来のエアゾール装置にあっては、噴射ボタン本体に直接薬液用流路を形成しなければならず、噴射ボタン本体の製作において、成型用の金型が非常に複雑な構造となると共に、例えば、成型する品物も複数種類製作しなければならなくなるといったおそれがあり、製作作業が非常に困難、かつコストが高くなるといった問題があった。
【０００７】
また、エアゾール装置では、使用用途によって、例えば、消臭あるいは芳香なのか、殺虫なのか、殺虫においても、ゴキブリ用なのか、ダニ用なのかによって、噴射ボタン本体における薬液の噴射角度が異なっていたが、従来のエアゾール装置にあっては、噴射ボタン本体を成型用の金型によって一旦製作してしまうと、薬液の噴射角度を変更することはまず不可能であり、これにより、薬液の噴射角度を変更するためには成型用の金型を新たに製作しなければならず、コストが非常に高くなるといった問題があった。
【０００８】
しかも、従来のエアゾール装置において、容器の上部に備えるステムの位置は容器の中央に位置するため、噴射ボタン本体に形成する薬液用流路を最も単純な構造の真っ直ぐ上方に向かうような形に形成した場合、噴射ボタン本体に形成する押しボタン部がスペース的な問題から非常に小さなものになり、使用者が使用する際、押しボタン部が押しずらくなるといった問題があった。そこで、噴射ボタン本体に形成する押しボタン部を大きくするために、噴射ボタン本体における噴射位置を容器の上部に備えるステムの位置よりずらした場合、前述したように、噴射ボタン本体の製作において、製作作業が非常に困難、かつコストが高くなるといった問題があった。
【０００９】
本発明は、前述したような各問題等を解消することを課題とし、特に、エアゾール装置において、構成部品である噴射ボタン本体を非常に容易に、かつコストも非常に安価に製作できるようにすることを、その課題とする。
【課題を解決するための手段】
【００１０】
本発明は、密閉された缶状で内部に薬液を収容し、上部にステムを備えた容器と、この容器の上部に装着すると共に、押しボタン部を有し、この押しボタン部を押すことにより容器のステムが押されて、容器内部の薬液を外部に噴射するようになる噴射ボタン本体と、から構成するエアゾール装置において、前記噴射ボタン本体は容器のステムに嵌合自在となり、かつ柔軟性素材より成型することにより折り曲げ自在となる柔軟性を有した略筒状のノズルを備えると共に、噴射ボタン本体にノズルガイド部を形成して、このノズルガイド部にノズルを保持させるようにしたエアゾール装置である。
【発明の効果】
【００１１】
本発明によれば、従来のような噴射ボタン本体に直接薬液用流路を形成することなく、噴射ボタン本体に折り曲げ自在となる柔軟性を有した略筒状のノズルを備える構造にすることで、噴射ボタン本体の製作における成型用の金型を非常に単純な構造にすることができ、さらに、複数種類の成型品を製作する必要もなくすことができ、製作作業を非常に容易なものにすることができると共に、コストも非常に安くすることができる。
【００１２】
しかも、折り曲げ自在となる柔軟性を有した略筒状のノズルを備える構造にすることにより、ノズルを折り曲げることで、噴射ボタン本体における噴射位置を容器の上部に備えるステムの位置より容易にずらすことができ、噴射ボタン本体に形成する押しボタン部を非常に大きなものにすることができる。この押しボタン部の大型化により、使用者が使用する際、押しボタン部を押し易くして、使用時の操作性を向上させることができる。また、これも、極めて安価に行うことができる。
【００１３】
また、本発明によれば、エアゾール装置において、使用用途、すなわち消臭あるいは芳香、ゴキブリ用の殺虫、ダニ用の殺虫によって、噴射ボタン本体における薬液の噴射角度を異ならす必要があったが、これは、噴射ボタン本体に形成するノズルガイド部を変更するだけで、噴射ボタン本体における薬液の噴射角度を異ならせることができ、噴射ボタン本体を使用用途の異なる複数種類のものに共通して使用することができ、このノズルガイド部の変更は従来のような成型用の金型の新規製作ではなく、金型の一部改良によって対応することができる。しかも、ノズルは全てのものに共通して使用することができる。これにより、各種のエアゾール装置における噴射ボタン本体の製作はコスト的に非常に安価なものにすることができる。
【発明を実施するための最良の形態】
【００１４】
本発明によるエアゾール装置の一形態について説明する。なお、この一形態としては容器内部に収容した薬液を一気に全て噴射する全量噴射型のエアゾール装置である。
【００１５】
エアゾール装置は、基本的には、図１、図２に示すように、内部に薬液を収容した容器１と、この容器１の上部に装着され、押しボタン部２を有して、この押しボタン部２を押すことにより容器１内部の薬液が外部に噴射するようになる噴射ボタン本体３と、から構成する。
【００１６】
前記容器１は、図３に示すように、円筒形の密閉された缶状で、上部に逆お椀状の上蓋４を嵌合し、この上蓋４の中央上部にステム５を備えている。このステム５は上方より押されることで、容器１内部の薬液がここより噴出するようになるバルブである。
【００１７】
また、この容器１の内部に収容する薬液としては、殺虫、忌避、消臭、芳香、防菌防黴等の目的に供する薬液である。
【００１８】
前記噴射ボタン本体３は、図１、図２、図４に示すように、容器１の上部に着脱自在に装着する変形円筒状の外枠体６を備え、この外枠体６は容器１と略同じ外径にする。そして、この外枠体６の上面に当該外枠体６の一部に折曲部７を介して連続するようにして接続する上面体８を備える。この上面体８は折曲部７において外枠体６に対して若干折れ曲がるようにしている。そして、この上面体８には外枠体６と接続する側に略半球状の凹部９を形成し、この凹部９に穴部１０を設けると共に、その反対側の略半分全体を押しボタン部２にしている。なお、この押しボタン部２には滑り止め用の突起１１を複数設けている。
【００１９】
また、噴射ボタン本体３の内部には、図３に示すように、略中央に下方側を開放する略円筒状のノズル装着部１２を形成すると共に、このノズル装着部１２の上方から上面体８の凹部９に設けた穴部１０まで達する斜め上方に向かうノズルガイド部１３を形成する。そして、このノズル装着部１２に下方よりノズル１４を挿入して嵌め入れる。このノズル１４は容器１のステム５に嵌合自在となり、かつ柔軟性素材より成型することにより折り曲げ自在となる柔軟性を有した略筒状で下部側にノズル装着部１２に嵌合するための円形板状の嵌合部１５を備えている。これにより、ノズル装着部１２に嵌め入れたノズル１４は嵌合部１５によりノズル装着部１２に嵌合すると共に、略全体がノズルガイド部１３に沿って斜め上方に向かうように折れ曲がり、このノズルガイド部１３によって保持されつつ上面体８の凹部９に設けた穴部１０より若干外部に突出する。
【００２０】
なお、前記ノズル１４において、その材質としては、例えば、高密度ポリエチレン（ＨＤＰＥ）、低密度ポリエチレン（ＬＤＰＥ）、ポリプロピレン（ＰＰ）、ポリアセタール（ＰＯＭ）、ナイロン、塩化ビニル（ＰＶＣ）等が挙げられるが、何らこれらに限定されるものではなく、柔軟性を有するものなら良い。
【００２１】
さらに、この噴射ボタン本体３にあっては、上面体８における押しボタン部２の裏側（下側）につめ状の係止部１６を備えると共に、外枠体６の内側にも突起状の係止部１７を備えて、図５に示すように、押しボタン部２の裏側に備えた係止部１６が外枠体６の内側に備えた係止部１７に引っ掛かって止まるようなる。これにより、噴射ボタン本体３の押しボタン部２を一旦押して、押しボタン部２側の係止部１６が外枠体６側の係止部１７に引っ掛かって止まると、押しボタン部２及びステム５が押された状態のままとなり、容器１の内部に収容した薬液が全て噴射する。
【００２２】
なお、噴射ボタン本体３において、上面体８における押しボタン部２と外枠体６とには着脱自在となるストッパー板１８を備えており、使用前にあってはこのストッパー板１８により押しボタン部２が押せないようにしており、使用時においてはこのストッパー板１８を取り外すことにより、押しボタン部２が押せるようにする。
【００２３】
次に、このような構成となるエアゾール装置における使用例について説明すると、使用者は、まず噴射ボタン本体３の上面体８における押しボタン部２と外枠体６とにわたって取り付けたストッパー板１８を取り外す。そして、噴射ボタン本体３の上面体８における押しボタン部２を押すと、ノズル１４の下端が容器１のステム５に嵌合しながらこれを押すようになり、ステム５から容器１の内部に収容した薬液が噴出して、ノズル１４内を経てノズル１４先端より薬液が外部に噴射する。このとき、容器１内部に収容した薬液は一気に全て噴射する。
【００２４】
以上のように、噴射ボタン本体３に折り曲げ自在となる柔軟性を有した略筒状のノズル１４を備える構造にすることにより、噴射ボタン本体３の製作における成型用の金型を非常に単純な構造にすることができ、さらに、複数種類の成型品を製作する必要もなくすことができ、製作作業を非常に容易、かつコストも非常に安くすることができる。
【００２５】
しかも、ノズル１４を折り曲げることで、噴射ボタン本体３における噴射位置を容器１の上部に備えるステム５の位置より容易にずらすことができ、噴射ボタン本体３に形成する押しボタン部２を非常に大きなものに、具体的には噴射ボタン本体３における上面体８の略半分を押しボタン部２にすることができ、使用者が使用する際、押しボタン部２を押し易くすることができると共に、極めて安価にこれを行うことができる。さらに、押しボタン部２を噴射ボタン本体３における上面体８の略半分にすることにより、手ではなく足で押しボタン部２を踏みつけて押すようになる足踏みタイプのエアゾール装置でも、エアゾール装置が倒れることなく安定して押しボタン部２を足で踏んで押すことができる。
【００２６】
また、本発明によれば、エアゾール装置において、使用用途に応じて、例えば、ゴキブリ用の殺虫では７０°〜８５°に、ダニ用の殺虫では４５°〜６０°に、噴射ボタン本体３における薬液の噴射角度を異ならす必要があったが、この噴射角度の変更はノズルガイド部１３を変更するだけで良く、このノズルガイド部１３の変更は従来のような成型用の金型の新規製作ではなく、金型の一部改良によって対応することができ、これにより、噴射ボタン本体３を使用用途の異なる複数種類のものに共通して使用することができ、しかも、ノズル１４は全てのものに共通して使用することができ、噴射ボタン本体３を各種のエアゾール装置にできるだけ共通して使用することで、コスト的に非常に安価にすることができる。
【００２７】
次に、本発明によるエアゾール装置の別の形態について述べる。エアゾール装置としては、基本的に前述した形態のものと略同様であるが、ノズル１４等において少々異なる。これは、折り曲げ自在となる柔軟性を有した略筒状のノズル１４において、図６に示すように、二股となるように左右に分離した形状にする。そして、図７に示すように、噴射ボタン本体３の上面体８においても、略半球状の凹部９を左右にそれぞれ形成し、この凹部９に穴部１０をそれぞれ設けて、この上面体８の左右それぞれに形成した凹部９の穴部１０それぞれに二股に分離したノズル１４の先端を若干突出するようにして保持させる。
【００２８】
このようにノズル１４を二股に分離した形状にすることにより、容器１内部の薬液を左右二方向に噴射することができ、広範囲に効率良く薬剤を撒くことのできるエアゾール装置を提供することができる。なお、このノズル１４にあっては、二股に分離する形状にして左右二方向に薬剤を噴射するようにしていたが、これを三股さらには四股等の多数に分離する形状にして複数の方向に薬剤を噴射するようにしても良い。
【００２９】
以上、本発明によるエアゾール装置の形態について種種述べたが、本発明によるエアゾール装置はこれらに限定されるものではなく、例えば、噴射ボタン本体３の内部に形成するノズルガイド部１３にあっては、前述した形態ではノズル装着部１２の上方から上面体８の凹部９に設けた穴部１０までをノズルガイド部１３とし、ノズル１４の略全体を保持するようにしていたが、ノズル１４を保持する部分は一部のみでも良く、例えば、ノズルガイド部１３を上面体８の凹部９に設けた穴部１０だけとし、この穴部１０のみでノズル１４の先端のみを保持するようにしても良い。
【００３０】
さらに、上面体８の凹部９に設ける穴部１０にあっても、図８に示すように、細長状の穴部１０とし、この穴部１０には３ヶ所の幅広となるノズル係止部１９を形成する。なお、このノズル係止部１９の幅はノズル１４の太さと略同じ寸法にする。そして、この細長状の穴部１０にノズル１４を保持させる場合、ノズル１４を細長状の穴部１０内で移動させ、所望のノズル係止部１９にノズル１４を保持させるようにする。これにより、ノズル１４の角度を容易に変更することができ、使用者が実際にエアゾール装置を使用する際、使用場所や使用状況、使用用途に応じて、ノズル１４の角度を変更し、常に最適な薬剤の噴射角度にすることで、エアゾール装置において極めて高い作用効果を得ることができる。なお、穴部１０において、前述したものはノズル係止部１９を３ヶ所にしているが、これを２ヶ所あるいは４ヶ所以上にしても良い。また、ノズル１４の角度の変更は前述したものに限定されるものではなく、他の方式のものでも良い。
【００３１】
また、前述したエアゾール装置にあっては、容器１内部に収容した薬液を一気に全て噴射する全量噴射型であったが、本発明はこれに限定されるものではなく、押しボタン部２に係止部１６を備えずに押しボタン部２が戻るタイプ、すなわち指で押しボタン部２を押していないと噴射しないタイプのエアゾール装置でも良い。
【図面の簡単な説明】
【００３２】
【図１】本発明によるエアゾール装置の正面図である。
【図２】本発明によるエアゾール装置の側面図である。
【図３】本発明によるエアゾール装置の一部断面側面図である。
【図４】本発明によるエアゾール装置の上面図である。
【図５】本発明によるエアゾール装置の使用時の一部断面側面図である。
【図６】本発明によるエアゾール装置の別の形態におけるノズルの説明図である。
【図７】本発明によるエアゾール装置の別の形態の上面図である。
【図８】本発明によるエアゾール装置の他の形態の上面図である。
【図９】従来のエアゾール装置の断面側面図である。
【図１０】従来のエアゾール装置における噴射ボタン本体の断面説明図である。
【符号の説明】
【００３３】
１…容器、２…押しボタン部、３…噴射ボタン本体、４…上蓋、５…ステム、６…外枠体、７…折曲部、８…上面体、９…凹部、１０…穴部、１１…突起、１２…ノズル装着部、１３…ノズルガイド部、１４…ノズル、１５…嵌合部、１６…係止部、１７…係止部、１８…ストッパー板、１９…ノズル係止部、２１…容器、２２…ステム、２３…噴射ボタン本体、２４…押しボタン部、２５…係止部、２６…キャップ本体、２７…係止部、２８…嵌合部、２９…噴射口、３０…薬液用流路
【図１】
2005298051.tif 000003
【図２】
2005298051.tif 000004
【図３】
2005298051.tif 000005
【図４】
2005298051.tif 000006
【図５】
2005298051.tif 000007
【図６】
2005298051.tif 000008
【図７】
2005298051.tif 000009
【図８】
2005298051.tif 000010
【図９】
2005298051.tif 000011
【図１０】
2005298051.tif 000012